(57)【要約】【課題】内径が１００〜５００ｍｍで延長が１０００〜３０００ｍの鉛直、水平又は任意の曲線をもつ地中孔のケーシングパイプを、多段にすることなく、短工期で安価に布設する。【解決手段】ケーシングパイプ１１内を挿通しケーシングパイプ１１の外径より大径に拡径する拡径掘削刃物４を取付たドリルストリング２を用い、ケーシングパイプ１１の外径より大きい地中孔１を先行掘削し、先行掘削した地中孔１にケーシングパイプ１１を挿入し、以上の動作を繰返して一連の同径のケーシングパイプ１１を地中に連接して布設する。【選択図】        図１
2010101060.tif 000002
【特許請求の範囲】
【請求項１】
ケーシングパイプ外径より大径の地中孔を掘削する掘削刃物を、ケーシングパイプ内を通ってケーシングパイプの先方の地中に突出させ、ケーシングパイプの外径より大きい地中孔を掘進し、該掘進した地中孔にケーシングパイプを推進させ、以上の動作を繰返して一連の同径のケーシングパイプを地中に連接して布設することを特徴とするケーシングパイプの布設方法。
【請求項２】
前記大径の地中孔を掘削する堀削刃物は、縮径時にケーシングパイプ内径より小径となり拡径時にケーシングパイプ外径より大径となる掘削刃物、又は周方向に突出した偏心掘削刃物を備えると共に、ケーシングパイプ内を通る断面を有し、該掘削刃物が偏心回転することによりケーシングパイプ外径より大径の地中孔を掘削する刃物であることを特徴とする請求項１記載のケーシングパイプの布設方法。
【請求項３】
前記地中孔は、鉛直孔、水平孔、又は任意の曲線孔であることを特徴とする請求項１又は２記載のケーシングパイプの布設方法。
【請求項４】
前記地中孔は延長が２００〜３０００ｍであることを特徴とする請求項１から３のいずれかに記載のケーシングパイプの布設方法。
【請求項５】
前記同径のケーシングパイプは内径が１００〜１０００ｍｍであることを特徴とする請求項１から４のいずれかに記載のケーシングパイプの布設方法。
【発明の詳細な説明】
【技術分野】
【０００１】
本発明は、長距離調査ボーリング、温泉堀削、ガス、石油採取、その他地中掘削時におけるケーシングパイプの布設方法に関し、例えば、内径１００〜５００ｍｍφ、布設長１０００ｍ以上に及ぶケーシングパイプを効率よく布設する方法に関する。
【０００２】
ケーシングパイプとは、長距離孔の掘削を行う際、孔壁の維持、圧力の異なる地層間の流体移動防止、堀削用ドリルパイプの孔壁抵抗を軽減することを目的として裸孔に挿入されるパイプをいう。
【背景技術】
【０００３】
長距離調査ボーリング、温泉堀削、石油や天然ガス採取用の坑井を掘削する場合、まず、大径の地中孔を掘削し、掘削刃物を引き抜き、大径の第１のケーシングパイプをこの地中孔に挿入して掘削孔の崩壊を防止し、次に、この第１のケーシングパイプ内を通る径を有する掘削刃物を用いて、第１のケーシングパイプの先方の地中孔を掘削し、掘削刃物を引抜き、この先方の掘削孔に、地表から第１のケーシングパイプ中を通って、第２のケーシングパイプを挿入し、これを繰返して最終深度まで掘削するのが一般的であった（例えば非特許文献１，２参照。）。
【０００４】
このような従来技術では、地層の状況に応じて、例えば、掘削孔の崩落を防止するために、堀削孔長数百ｍごとに順次小径のケーシングパイプを挿入して掘削する必要がある。例えば、延長２０００ｍの掘削を行う場合には３〜４段階の順次小径となる異径ケーシングパイプを用いて、段階的に大径ケーシングパイプから最終径のケーシングパイプまで布設する必要がある。
【０００５】
このような場合、異径の多段のケーシングパイプの挿入埋設を要し、口元において所望径の最終ケーシングパイプよりはるかに大径の掘削孔の掘削、大径のケーシングパイプの挿入を要し、工事量の増大、資材量の増加、所要費用の増大、施工工期の長期化をもたらすなどの問題があった。
【０００６】
また、多段のケーシングパイプを用いることなく、１段のケーシングパイプを布設する技術もある（例えば特許文献１参照。）。
【０００７】
その技術は、ケーシングパイプの先端に掘削刃物を取り付けて前進掘削し、ケーシングパイプをそのまま布設する技術である。ケーシングパイプは本来、大きな回転トルク及び推力を伝達する構造のものではないが、この技術では、継手効率を改善したカップリングや、トルク伝達性を付与した接続ねじ構造を備え、金属接触のトルクショルダーを設けたカップリングなど、適切な寸法、材質、構造のケーシングパイプを使用することによって、適切な回転トルク及び推力を伝達することができる。
【特許文献１】特許第３，５４２，１０８号公報
【非特許文献１】石油天然ガス金属鉱物資源機構：石油／天然ガス用語辞典（１９８６）
【非特許文献２】石油技術協会：石油／天然ガス堀削用語集（２００３）
【発明の開示】
【発明が解決しようとする課題】
【０００８】
地中に長距離調査ボーリング、温泉掘削、ガス、石油採取、その他地中掘削時のケーシングパイプ布設する場合、掘削孔の崩落を防止するために、大径から順次小径のケーシングパイプを挿入する従来技術では工事量の増大、施工工期の長大化、施工費の増大を招く問題があった。
【０００９】
ケーシングパイプ先端に掘削刃物を取付け、ケーシングパイプを前進させる技術もあるが、ケーシングパイプを、大きな回転トルクや推力を伝達する構造とすることが容易ではなく、長さの長いケーシングパイプの布設に適用することは容易でなかった。
【００１０】
本発明はこのような従来技術の短所を改善し、長さの長いケーシングパイプを容易に短工期で安価に布設することができる技術を提供することを目的とする。
【課題を解決するための手段】
【００１１】
本発明は上記課題を解決するために創案されたもので、その技術手段は、ケーシングパイプ外径より大径の地中孔を掘削する堀削刃物を、ケーシングパイプ内を通ってケーシングパイプの先方の地中に突出させ、ケーシングパイプの外径より大きい地中孔を掘進し、該掘進した地中孔にケーシングパイプを推進させ、以上の動作を繰返して一連の同径のケーシングパイプを地中に連接して布設することを特徴とするケーシングパイプの布設方法である。
【００１２】
また、この技術は流体の輸送、採取、排出を行う管路や通信、電力ケーブル等の保護管路の布設にも利用することができる。
【００１３】
前記大径の地中孔を掘削する掘削刃物は、どのような型式、構造でもよいが、縮径時にケーシングパイプ内径より小径となり拡径時にケーシングパイプ外径より大径となる掘削刃物、又は周方向に突出した偏心掘削刃物を備えると共にケーシングパイプ内を通る断面を有し、該掘削刃物が偏心回転することによりケーシングパイプ外径より大径の地中孔を掘削する刃物とすれば好適である。
【００１４】
上記ケーシングパイプの布設方法において、前記地中孔としては、鉛直孔、水平孔、又は任意の曲線孔に適用することができる。
【００１５】
また、前記地中孔は延長が短い地中孔にも適用できるが、特に２００〜３０００ｍに及ぶ規模の地中孔を好適に掘削することができる。特に５００ｍを超えるケーシング布設時に有効であり、１０００ｍを超える布設時にはさらに適度を増す。また、前記同径のケーシングパイプは、内径が１００〜１０００ｍｍとすることができる。
【発明の効果】
【００１６】
本発明によれば、最終目標径の長大な同一径のケーシングパイプを、ケーシングパイプ外径より大径の地中孔を掘削する掘削刃物を取付けたドリルストリングを用いて連続的に施工することができる。従って、異径の複数種類のケーシングパイプを用いる従来技術や、特別の大強度のケーシングパイプを用いる技術等に比し、工事量、資材、労力を節減することができ、短工期に所望のケーシングパイプの布設を行うことができる。
【発明を実施するための最良の形態】
【００１７】
本発明の実施の形態を図面を参照して説明する。まず従来技術について説明する。
【００１８】
図４は従来の油井のケーシングパイプの配列例を示す鉛直坑井１００の断面図である。
【００１９】
地表１０１から、地中孔を掘削する。地層１０２の状況やその特性に応じて、地中孔の孔壁の崩壊防止、圧力の異なる地層間の流体移動防止などのために、適時に、大径から小径のケーシングパイプを順次、地中孔中に挿入する。
【００２０】
図４の例では、坑井１００の口元に地上１０１から大径のコンダクターパイプ（第１のケーシングパイプ）１１０を挿入している。コンダクタパイプ１１０の長さは例えば数百ｍである。次にこのコンダクタパイプ１１０内を通る掘削ビットを下端に備えたドリルストリングを下降させ、コンダクタパイプ１１０の下端より下方の地中孔の掘削を行う。掘削した掘削孔にサーフェイスケーシング（第２のケーシングパイプ）１１１を地表１０１からコンダクタパイプ１１０内を通って挿入する。
【００２１】
次に、サーフェイスケーシング１１１内を通る掘削ビットを下端に備えたドリルストリングを下降させ、サーフェイスケーシング１１１の下端より下方の地中孔を掘削し、この掘削孔に中間ケーシング（第３のケーシングパイプ）１１２を地表１０１からサーフェイスケーシング１１１内を通って挿入する。
【００２２】
次いで、同様に、中間ケーシング１１２内を通って掘削ビットを下降させ、中間ケーシング１１２の下端より下方の地中孔を掘削し、プロダクションケーシング（第４のケーシングパイプ）１１３を地表１１１から挿入する。
【００２３】
第１から第４のケーシングパイプは、順次、大径のケーシングパイプから小径のケーシングパイプとなる。各ケーシングパイプと地中孔壁との間にはセメンチング１１４を施して孔壁を保護する。第１から第４のケーシングパイプの地中孔壁を保護する長さは、地球物理学的情報や物理探査データ等に基いて、坑壁の崩壊等を起さない限度の長さに設計される。例えば、１つのケーシングパイプの孔壁保護長は数百ｍ程度に設計される。
【００２４】
このようにして設計されたケーシングパイプの配列は『ケーシング・プログラム』と呼ばれている。
【００２５】
地中孔の長さが長くなり、掘進に多大の日数を要すると、長期間掘削のままの地中孔の側壁崩壊の可能性が高くなる。従って、適宜の掘進長に応じてケーシングパイプを挿入し、その後はそのケーシングパイプ内を通る径の掘削刃物で掘進し、第２段以降のケーシングパイプ挿入を行う。
【００２６】
従って、ケーシングパイプは大口径から次第に径を減ずる複数段となる。
【００２７】
図４の例は、油井ケーシングパイプの例であり、プロダクションケーシング１１３の下端にケーシングシュー１１５が取り付けられている。
【００２８】
図３の実線で示した部分は以上のようにして設計されたケーシング・プログラム２０の例を示す設計図である。但し、図３中に仮想線で描かれた部分は後述の実施例を説明するために付加されたもので、ケーシング・プログラムの変更を示したものである。
【００２９】
この設計例の具体例を表１に示した。表１中の数字は、掘進径、浚い径、ケーシングパイプ径をインチで表示したものである。
【００３０】
【表１】
2010101060.tif 000003
【００３１】
図３の例では、表１に示すように、地表３１から深さ３２が６００ｍまでの第１段ケーシングパイプ２１の径は１３−３／８インチであり、地表３１から深さ３３が１２００ｍまでの第２段ケーシングパイプ２２の径は１０−３／４インチであり、地表３１から深さ３４が１８００ｍまでの第３段ケーシングパイプ２３の径は８−５／８インチとなっている。
【００３２】
深さ３４（地表から１８００ｍ）と深さ３５（地表から２０００ｍ）の区間は最終掘削孔２４でケーシングパイプを挿入しない部分である。
【００３３】
次に、図１は本発明方法の実施例を模式的に示す説明図である。拡径掘削刃物３を先端に備えたドリルストリング２に駆動推進装置５から回転力及び推力を付与してパイロットホール４を拡掘して掘削孔１を形成する。この掘削孔１中に、地表１３から、ケーシングパイプ１１を挿入装置１２を用いて挿入する。なお、地表１３から、安定地層までの間にコンダクタパイプ１４を設けて地中孔の口元を保護することは任意である。
【００３４】
図１に示す拡径掘削刃物３は、ケーシングパイプ１１内を通るときは縮径してケーシングパイプ１１の内径より小径となり、ケーシングパイプ１１より先方の地中では、ケーシングパイプ１１の外径より大径に拡径するようになっている。このような拡径掘削刃物３の拡縮径機構は公知の技術を用いる。
【００３５】
掘削刃物としては、図２に示すようにドリルストリング２に偏心刃物６を１個備えたものでもよい。この偏心刃物６を含むドリルストリング２はケーシングパイプ１１内を通る断面寸法であり、このドリルストリング２をケーシングパイプ１１の中心軸まわりに回転させることによって、ケーシングパイプ１１の外径より大径の地中孔１を掘削することができる。
【００３６】
また、ベントサブを用いて曲線孔を掘削する場合には、ベントサブをケーシングパイプの中心軸まわりに回転させることによって、拡径孔を掘削することも可能である。
【００３７】
ケーシングパイプ１１は同一径のものを順次連結して挿入する。従って従来のように、順次大径から小径に亘る多段のケーシングパイプの挿入を要しない。
【００３８】
次に、図３に実線で示す深さ２０００ｍまでのケーシング・プログラムに従って地中孔を掘削し、地表３１から１８００ｍまでケーシングパイプ２１，２２，２３を挿入し１８００ｍ〜２０００ｍ間に最終掘削孔２４を設けて完了の予定であったが、実際には、仮想線で示すように、さらに深さ３４（地表から１８００ｍ）から深さ３６（地表から２５００ｍ）の掘削を必要とすることが判明した。この場合、本発明方法を好適に適用することができる。
【００３９】
すなわち、深さ３４（地表から１８００ｍ）から深さ３６（地表から２５００ｍ）までを、縮径してケーシングパイプ２３内を通り、先方で拡径する掘削刃物を備えたドリルストリングを用いて地中孔の掘削を行い、ケーシングパイプ２３を前進させて、ケーシングパイプ２５を挿入した。その後、その下方に最終掘削孔２６を設けた。
【図面の簡単な説明】
【００４０】
【図１】本発明方法の実施例を模式的に示す説明図である。
【図２】別の実施例の掘削刃物を説明する説明図である。
【図３】ケーシング・プログラムの一例を示す設計図である。
【図４】従来の油井のケーシングの配列例を示す抗井の断面図である。
【符号の説明】
【００４１】
１    掘削孔
２    ドリルストリング
３    拡径掘削刃物
４    パイロットホール
５    駆動推進装置
６    偏心刃物
１１，２１，２２，２３，２５    ケーシングパイプ
１２    挿入装置
１３，３１，１０１    地表
１４    コンダクタパイプ
２０    ケーシング・プログラム
２４，２６    最終掘削孔
３２，３３，３４，３５，３６    深さ
１００    坑井
１０２    地層
１１０    コンダクタパイプ
１１１    サーフェイスケーシング
１１２    中間ケーシング
１１３    プロダクションケーシング
１１４    セメンチング
１１５    ケーシングシュー
【図１】
2010101060.tif 000004
【図２】
2010101060.tif 000005
【図３】
2010101060.tif 000006
【図４】
2010101060.tif 000007